(57)【要約】【課題】ポンプディスペンサーの提供。【解決手段】ポンプヘッド１０、ステム１１、ポンプ部１３、及びディップチューブ１５を有したポンプディスペンサー１において、ポンプヘッド１０は抗菌剤を含有することを特徴とするポンプディスペンサー１。【選択図】図１
2017105536.tif 000002
【特許請求の範囲】
【請求項１】
ポンプヘッド、ステム、ポンプ部、及びディップチューブを有したポンプディスペンサーにおいて、前記ポンプヘッドは抗菌剤を含有することを特徴とするポンプディスペンサー。
【請求項２】
前記抗菌剤がガラス系抗菌剤である請求項１に記載のポンプディスペンサー。
【請求項３】
前記ポンプヘッドは樹脂成形品であり、
前記抗菌剤の含有量が、前記ポンプヘッドを形成する樹脂１００質量部に対し、０．５質量部以上３質量部以下である、請求項１または２に記載のポンプディスペンサー。
【請求項４】
前記ポンプヘッドは樹脂成形品であり、
前記ポンプヘッドにおける無機系着色料（前記抗菌剤を除く。）の含有量が、前記ポンプヘッドを形成する樹脂１００質量部に対し、１質量部未満である、請求項１〜３のいずれか１項に記載のポンプディスペンサー。
【請求項５】
前記ポンプヘッドが、ブロックポリプロピレン樹脂の成形品である請求項１〜４のいずれか１項に記載のポンプディスペンサー。
【発明の詳細な説明】
【技術分野】
【０００１】
本発明は、ポンプディスペンサーに関する。
【背景技術】
【０００２】
ポンプヘッドを押し下げることによって液体を吐出するポンプヘッドタイプのポンプディスペンサーは、従来より公知である。
ポンプディスペンサーを容器に取り付けたポンプ付き容器には、例えばハンドソープやボディソープ等の洗料や化粧料などが収容される。ポンプディスペンサーには、その性質上抗菌性が求められる。
また、ポンプヘッドに着色を施し、外観上の価値を高めたり、内容液の香りのバリエーションをポンプヘッドで認識させるよう、着色剤をポンプヘッドに配合することはすでに製品として当然のことになっている。
【０００３】
例えば、特許文献１には、容器中の内容液を雑菌による悪影響から守るため、吸い上げパイプに抗菌剤を含有させたポンプディスペンサーが記載されている。
【先行技術文献】
【特許文献】
【０００４】
【特許文献１】特開平９−８６５５４号公報
【発明の概要】
【発明が解決しようとする課題】
【０００５】
ところで、例えばハンドソープが収容されている容器は汚れた手で使用されることがある。このため、使用回数を重ねるとポンプヘッドに菌が付着・増殖してしまい、菌が付着したポンプヘッドに触れることに対して嫌悪感を抱く使用者もおり、使用による菌の増殖を防止できる新規なポンプディスペンサーを提供することが大きな課題である。
また、ポンプディスペンサー及びポンプディスペンサーを取り付けたボトル容器には、機能性だけでなく、情報的価値が求められ、着色された外観は不透明な色よりも透明感の高いポンプディスペンサーやボトル容器が特に好まれる傾向にある。そこで、抗菌性があり、且つより透明感の高いポンプディスペンサーを提供することが大きな課題である。
【課題を解決するための手段】
【０００６】
本発明者は鋭意検討した結果、上記課題を解決するために以下の手段を提供する。
［１］本発明は、ポンプヘッド、ステム、ポンプ部、及びディップチューブを有したポンプディスペンサーにおいて、前記ポンプヘッドは抗菌剤を含有することを特徴とするポンプディスペンサーである。
［２］前記抗菌剤がガラス系抗菌剤である［１］に記載のポンプディスペンサー。
［３］前記ポンプヘッドは樹脂成形品であり、
前記抗菌剤の含有量が、前記ポンプヘッドを形成する樹脂１００質量部に対し、０．５質量部以上３質量部以下である［１］又は［２］に記載のポンプディスペンサー。
［４］前記ポンプヘッドは樹脂成形品であり、
前記ポンプヘッドにおける無機系着色料（前記抗菌剤を除く。）の含有量が、前記ポンプヘッドを形成する樹脂１００質量部に対し、１質量部未満である［１］〜［３］のいずれか１項に記載のポンプディスペンサー。
［５］前記ポンプヘッドが、ブロックポリプロピレン樹脂の成形品である［１］〜［４］のいずれか１項に記載のポンプディスペンサー。
［６］前記抗菌剤は亜鉛系のガラス系抗菌剤である［１］〜［５］のいずれか１項に記載のポンプディスペンサー。
［７］前記抗菌剤と無機系着色料（前記抗菌剤を除く。）の合計含有量は前記ポンプヘッドを形成する樹脂１００質量部に対し、０．５質量部以上４質量部未満である［１］〜［６］のいずれか１項に記載のポンプディスペンサー。
［８］前記ブロックポリプロピレン樹脂のメルトフローインデックス（ＭＩ）が３〜６５ｇ／１０ｍｉｎである［５］に記載のポンプディスペンサー。
【発明の効果】
【０００７】
本発明によれば、使用による菌の付着を防止できる新規なポンプディスペンサーを提供することができる。
【図面の簡単な説明】
【０００８】
【図１】本発明のポンプディスペンサーの一実施形態を示す正面図である。
【図２】本発明のポンプディスペンサーを取り付けたボトル容器の一例を示す斜視図である。
【発明を実施するための形態】
【０００９】
＜ポンプディスペンサー＞
本発明のポンプディスペンサーは、ポンプヘッドに特徴があり、その他の構成については公知の種々のポンプディスペンサーを適宜適用できる。
本発明のポンプディスペンサーの一実施形態を図１に示す。
ポンプディスペンサー１は、ポンプヘッド１０、ステム１１、ポンプ部１３、ディップチューブ１５を有している。
【００１０】
ポンプヘッド１０は、装着キャップ１２から上方に起立した状態で上下方向に移動可能に支持されたステム１１の上端部に取り付けられている。装着キャップ１２の下方には、ポンプ部１３が設けられている。ポンプ部１３は、ステム１１に接続されている。
ポンプ部１３の下端部からは、容器に収容された内容液を吸い込むディップチューブ１５が垂下されている。
【００１１】
ポンプヘッド１０は、樹脂成形品であり、抗菌剤を含有する。また、ポンプヘッド１０にはノズル１０ａが設けられている。
【００１２】
ポンプヘッド１０の十分な強度と軽量化を図るため、ポンプヘッド１０を成形するために用いる樹脂としては、ポリエチレン樹脂、ポリプロピレン樹脂、ポリエステル樹脂等の樹脂材料を用いることができる。
これらの樹脂はブロック共重合樹脂であってもよく、ランダム共重合樹脂であってもよい。中でも、衝撃強度がより高められる点から、ブロックポリプロピレン樹脂が好ましい。
【００１３】
本発明においては、前記ブロックポリプロピレン樹脂のメルトフローインデックス（ＭＩ）は、３〜６５ｇ／１０ｍｉｎであることが好ましく、１０〜６５ｇ／１０ｍｉｎであることがより好ましい。
ＭＩが上記下限値以上であることにより、ポンプヘッドの抗菌効果をより高められる。ＭＩが上記上限値以下であることが成形上好ましい。
【００１４】
なお、ＭＩは、メルトフローレート（ＭＦＲ）とも呼ばれ、溶液状態にある樹脂の流動性を示す尺度の一つである。円筒状の押出式プラストメーターに入れた樹脂を一定の温度で加熱・加圧し、容器の底の開口部から１０分間に押出された樹脂量で表される。
試験機械は、ＪＩＳ  Ｋ６７６０で定められた押出式プラストメーターであり、測定方法は、ＪＩＳ  Ｋ７２１０で規定されている。
【００１５】
ポンプヘッド１０が含有する抗菌剤としては、無機系抗菌剤が挙げられる。無機系抗菌剤としては、ガラス系抗菌剤、ゼオライト系抗菌剤、アパタイト系抗菌剤、リン酸ジルコニウム系抗菌剤が好適な例として挙げられる。
【００１６】
ポンプディスペンサー及びポンプディスペンサーを取り付けたボトル容器には、機能性だけでなく、情報的価値が求められる。特に、ポンプディスペンサーやボトル容器の色は内容液の香り等の情報を伝達するにあたり重要な要素である。例えば、内容液の香りを想起させるような着色がなされることが求められる。さらには不透明な色よりも透明度の高いポンプディスペンサーやボトル容器が好まれる傾向にある。
これらの事情から、本発明においては上記のなかでも、ガラス系抗菌剤を用いることが好ましい。ガラス系抗菌剤は透明度が高いため、各部材に抗菌性を付与できると共に、透明度の高いポンプヘッドとすることができる。
【００１７】
本発明においては、前記抗菌剤の含有量は、前記ポンプヘッドを形成する樹脂１００質量部に対し、０．５質量部以上３質量部以下であることが好ましく、０．７質量部以上３質量部以下であることがより好ましい。
抗菌剤の含有量が上記の範囲であることにより、透明度が高く、且つ、十分な抗菌効果を発現するポンプヘッドとすることができる。
【００１８】
本発明においては、前記抗菌剤と後述する無機系着色料（前記抗菌剤を除く。）の合計含有量は、前記ポンプヘッドを形成する樹脂１００質量部に対し、０．５質量部以上４質量部未満であることが好ましく、０．５質量部以上３．５質量部以下であることがより好ましい。
抗菌剤と無機系着色料（前記抗菌剤を除く。）の合計含有量が上記の範囲であることにより、透明度が高いポンプヘッドとすることができる。
【００１９】
ポンプヘッド１０は、抗菌剤と樹脂とを混練したものが好ましい。また、抗菌剤、樹脂及び着色剤を混練したものであってもよい。
【００２０】
ポンプヘッド１０の抗菌剤の付与は、部材の射出成形時に行えばよい。たとえば、射出成形機のシリンダに樹脂や着色剤とともに抗菌剤を入れ、混練して射出することにより抗菌剤を含有した部材が成形される。
【００２１】
ステム１１は、上方に付勢された状態となっており、この付勢力に抗してポンプヘッド１０を押圧操作することが可能となっている。
【００２２】
ポンプ部１３は、シリンダ、ピストン、摺動弁、ボール弁（不図示）から構成されている。
【００２３】
本発明のポンプディスペンサーは、上述のポンプヘッド、ステム、ポンプ部、及びディップチューブを組み立てることにより製造することができる。
【００２４】
図２は、ポンプディスペンサー１をボトル容器２０に取り付けた容器２の一例を示す図である。
ポンプヘッド１０は、使用前には押し下げられた状態で装着キャップ１２に螺合により固定されている。そして、使用時には、この螺合を解除することによって、ステム１１が上方に向かって起立した状態となる。
ボトル容器２０は、付け替え可能な容器として、廃棄の際に容易に押しつぶすことが可能な薄肉軽量容器を採用することが好ましい。
【００２５】
ボトル容器２０に収容される内容液としては、特に限定されないものの、例えば、ハンドソープ、ボディーソープ、液体石鹸、洗浄剤、シャンプー、リンス、トリートメント、化粧液等を挙げることができる。
【００２６】
ポンプディスペンサー１は、ポンプヘッド１０を押し下げることによって、ポンプディスペンサー１を取り付けたボトル容器２０に収容された内容液をノズル１０ａの先端部へと圧送し、内容液を注出する。
【００２７】
本発明のポンプディスペンサーは、手が直接触れるポンプヘッド１０が抗菌剤を含有することによりポンプヘッド１０が抗菌効果を発現し、汚れた手でポンプディスペンサーを使用し、使用回数を重ねた場合であっても、雑菌の繁殖を防止することができる。
【００２８】
また、抗菌効果を十分に発揮させる観点から、ポンプディスペンサーを構成するステム、ポンプ部、ディップチューブ等の各部材に抗菌剤を含有させてもよい。
【００２９】
本発明においては、ポンプヘッド１０に着色剤を含有させてもよい。着色剤としては、チタン、酸化チタン、酸化鉄等の無機系着色剤を用いることができる。
ポンプヘッド１０が無機系着色剤を含有する場合、該無機系着色剤の含有量は、樹脂１００質量部に対し、１質量部未満であることが好ましく、０．８質量部以下であることが好ましく、０．５質量部以下であることがより好ましい。無機系着色剤の含有量が上記の範囲であると、ポンプヘッド１０に十分な透明度付与させることができる。また、ポンプヘッド１０の透明度をより向上させる観点から、無機系着色剤の含有量は０質量部であってもよい。
【実施例】
【００３０】
以下に実施例を用いて本発明をさらに詳しく説明するが、本発明はこれら実施例に限定されるものではない。なお、「％」は特に断りがない限り「質量％」を示す。
【００３１】
＜ポンプディスペンサーの製造＞
抗菌剤、樹脂及び無機系着色剤を下記表１〜２に示す配合量(質量部)で配合し、射出成形法によりポンプヘッドを製造した。
次に、このポンプヘッドと、ステム、ポンプ部、及びディップチューブを組み合わせてポンプディスペンサーを製造した。
【００３２】
表１〜２中、各記号は以下の材料を意味する。
・（Ａ）−１：亜鉛系溶解性ガラス、石塚硝子株式会社製、商品名  イオンピュア。
・（Ａ）−２：銀系ガラス系抗菌剤、東亞合成株式会社製、商品名  ノバロンＶＡＧ５００。
・（Ａ）−３：銀系溶解性ガラス、石塚硝子株式会社製、商品名  イオンピュア。
・（Ａ）−４：銀系リン酸ジルコニウム、東亞合成株式会社製、商品名  ノバロンＡＧＺ３３０。
・（Ａ）−５：酸化亜鉛、堺化学工業株式会社製、商品名  酸化亜鉛１種。
・（Ｂ）−１：ブロックポリプロピレン（株式会社プライムポリマー製、商品名  Ｊ−７５０ＨＰ）。
・（Ｂ）−２：ブロックポリプロピレン（株式会社プライムポリマー製、商品名  Ｊ−４６６ＨＰ）。
・（Ｂ）−３：ブロックポリプロピレン（株式会社プライムポリマー製、商品名  Ｊ７０７Ｇ）。
・（Ｂ）−４：ブロックポリプロピレン（株式会社プライムポリマー製、商品名  Ｊ−６０８３ＨＰ）。
・（Ｂ）−５：ランダムポリプロピレン（株式会社プライムポリマー製、商品名  Ｊ２２６Ｔ）。
・（Ｃ）−１：酸化チタン。
【００３３】
上記で得られたポンプディスペンサーをボトル容器に取り付け、内容物（ハンドソープ、ライオン株式会社製、製品名「キレイキレイ」）を充填した。
その後、抗菌力、透明感、変色及び落下衝撃度を下記の方法で評価した。
【００３４】
＜評価方法＞
≪抗菌力≫
上記で得られたポンプディスペンサーのポンプヘッド部分について、ＪＩＳ  Ｚ  ２８０１に準拠して抗菌性試験を実施し、下記の基準で評価した。その結果を表１〜２に記載する。
◎◎：抗菌活性値３以上。
◎  ：抗菌活性値：２〜３未満。
○  ：抗菌活性値：１〜２未満。
△  ：抗菌活性値：０．５〜１．０未満。
×  ：抗菌活性値：０．５未満。
【００３５】
≪透明感≫
上記で得られたポンプディスペンサーのポンプヘッド部分の透明感を以下の基準で評価した（ｎ＝１０）。その結果を表１〜２に記載する。
７点：非常に透明感がある。
６点：かなり透明感がある。
５点：やや透明感がある。
４点：どちらともいえない。
３点：やや透明感がない。
２点：かなり透明感がない。
１点：全く透明感がない。
【００３６】
≪変色≫
紫外線カーボンアークフェードメータを用いてポンプディスペンサーに光線を１００時間照射し、ポンプディスペンサーのポンプヘッド部分の変色の有無を確認した。
変色の有無を以下の基準で評価した。その結果を表１〜２に記載する。
５点：まったく変色していない。
４点：わずかに変色している。
３点：やや変色している。
２点：かなり変色している。
１点：非常に変色している。
【００３７】
≪落下衝撃度≫
ボトル容器にポンプディスペンサーを装着させた状態で倒立落下させたときの破損の有無を下記条件で確認した。その結果を表１〜２に記載する。
条件：１００ｃｍ、５０ｃｍの高さから落下（温度：室温、５℃）
○：破損無し。
×：破損有り。
【００３８】
【表１】
2017105536.tif 000003
【００３９】
【表２】
2017105536.tif 000004
【００４０】
上記結果に示したとおり、ポンプヘッドに抗菌剤を含有させた実施例１〜１８は、抗菌力が高く良好であった。また、抗菌剤としてガラス系抗菌剤を用いた実施例１〜１４は、優れた抗菌力に加えて、ポンプヘッドの透明感も良好であった。
これに対し、ポンプヘッドに抗菌剤を含有させなかった比較例１は、抗菌活性値が低かった。
【符号の説明】
【００４１】
１…ポンプディスペンサー、１０…ポンプヘッド、１０ａ…ノズル、１１…ステム、１２
…装着キャップ、１３…ポンプ部、１５…ディップチューブ、２…容器、２０…ボトル容
器
【図１】
2017105536.tif 000005
【図２】
2017105536.tif 000006